(57)【要約】      （修正有）【課題】画像データが表示される前の段階で、画像データの種類を通知する。【解決手段】画像再生装置は、複数の画像データを記憶可能なメモリカードと、記憶された複数の画像データうちから１つを選択する画像データ選択部（Ｓ０２，Ｓ１５）と、選択された画像データの種類を判別する種類判別部（Ｓ０４）と、表示態様が変化する複数のパターンのうち判別された種類に対応付けられたパターンを決定するパターン決定部（Ｓ０５）と、選択された画像データを表示する前の表示直前期間に、選択された画像データまたは選択された画像データに関連する画像データを、決定されたパターンにしたがって表示態様を変化させて表示する切換表示部（Ｓ０６）と、を備える。【選択図】図５
2013017068.tif 000002
【特許請求の範囲】
【請求項１】
複数の画像データを記憶可能な記憶手段と、
前記記憶された複数の画像データのうちから１つを選択して表示する選択表示手段と、を備え、
前記選択表示手段は、
前記選択されて表示される画像データの種類を判別する種類判別手段と、
表示態様が変化する複数のパターンのうち前記判別された種類に対応付けられたパターンを決定するパターン決定手段と、
前記選択されて表示される画像データが表示される前の表示直前期間に、前記選択されて表示される画像データまたは前記選択されて表示される画像データに関連する画像データを、前記決定されたパターンにしたがって表示態様を変化させて表示する切換表示手段と、を含む、画像再生装置。
【請求項２】
前記複数の画像データ各々に関連付けて、当該画像データの画像を縮小した縮小画像の画像データを前記記憶手段に記憶する縮小画像関連付手段を、さらに備え、
前記切換表示手段は、前記表示直前期間に前記選択されて表示される画像データに関連付けられた縮小画像の画像データを、表示態様を変化させて表示する、請求項１に記載の画像再生装置。
【請求項３】
前記種類判別手段は、静止画の画像データと動画の画像データとを異なる種類として判別する、請求項１または２に記載の画像再生装置。
【請求項４】
被写体を撮影し、画像データを出力する撮影手段と、
前記撮影手段が出力する画像データを前記記憶手段に記憶する記憶制御手段を、さらに備えた、請求項１〜３のいずれかに記載の画像再生装置。
【請求項５】
前記撮影手段の動作を定める撮影モードを設定する撮影モード設定手段をさらに備え、
前記記憶制御手段は、撮影モードとして静止画を撮影する単独撮影モードが設定されている状態で、前記撮影手段がユーザによる撮影指示に応じて出力する１つの静止画に撮影モードを関連付けて記憶し、撮影モードとして静止画を連続して撮影する連続撮影モードが設定されている状態で、前記撮影手段がユーザによる撮影指示に応じて出力する複数の静止画各々に撮影モードを関連付けて記憶し、
前記種類判別手段は、撮影モードに単独撮影モードが関連付けられた静止画と、撮影モードに連続撮影モードが関連付けられた静止画とを、異なる種類として判別する、請求項４に記載の画像再生装置。
【請求項６】
２次元の画像を撮影する２次元撮影モードと３次元の画像を撮影する３次元撮影モードとのいずれかに撮影モードを設定する撮影モード設定手段と、をさらに備え、
前記撮影手段は、第１撮影手段と第２撮影手段と、を含み、
前記記憶制御手段は、撮影モードとして２次元撮影モードが設定されている状態で、前記第１および第２撮影手段のいずれか一方が出力する画像データに撮影モードを関連付けて記憶し、撮影モードとして３次元撮影モードが設定されている状態で、前記第１および第２撮影手段がそれぞれ出力する２つの画像データに基づいて生成される３次元画像の画像データに撮影モードを関連付けて記憶し、
前記種類判別手段は、撮影モードに２次元撮影モードが関連付けられた画像データと、撮影モードに３次元撮影モードが関連付けられた画像データとを、異なる種類として判別する、請求項４または５に記載の画像再生装置。
【請求項７】
前記撮影手段が被写体を撮影したときの撮影条件を検出する撮影条件検出手段をさらに備え、
前記記憶制御手段は、前記撮影手段が出力する画像に前記検出された撮影条件を関連付けて記憶し、
前記種類判別手段は、所定の範囲外の撮影条件が関連付けられた画像データと、所定の範囲内の撮影条件が関連付けられた画像データとを、異なる種類として判別する、請求項４〜６のいずれかに記載の画像再生装置。
【請求項８】
前記撮影手段が出力する画像、または前記記憶手段に記憶された画像を解析し、画像中に含まれる被写体の特徴を検出する画像解析手段を、さらに備え、
前記種類判別手段は、前記画像解析手段により検出される特徴に基づいて種類を判別する、請求項１〜７のいずれかに記載の画像再生装置。
【請求項９】
前記複数のパターンは、画像のうち表示する部分を変化させるパターン、画像のサイズを変化させるパターン、画像の形状を変化させるパターン、画像の輝度を変化させるパターン、画像の色を変化させるパターンのうちから選択された１以上の組み合わせを含む、請求項１〜８のいずれかに記載の画像再生装置。
【請求項１０】
複数の画像データを記憶可能な記憶手段を備えた画像再生装置で実行される画像再生方法であって、
前記記憶された複数の画像データのうちから１つを選択して表示するステップを、含み、
前記選択して表示するステップは、
前記選択されて表示される画像データの種類を判別するステップと、
表示態様が変化する複数のパターンのうち前記判別された種類に対応付けられたパターンを決定するステップと、
前記選択されて表示される画像データが表示される前の表示直前期間に、前記選択されて表示される画像データまたは前記選択されて表示される画像データに関連する画像データを、前記決定されたパターンにしたがって表示態様を変化させて表示するステップと、を含む画像再生方法。
【請求項１１】
複数の画像データを記憶可能な記憶制御手段を備えた画像再生装置を制御するコンピュータで実行される画像再生プログラムであって、
前記記憶された複数の画像データのうちから１つを選択して表示するステップを前記コンピュータに実行させ、
前記選択して表示するステップは、
前記選択されて表示される画像データの種類を判別するステップと、
表示態様が変化する複数のパターンのうち前記判別された種類に対応付けられたパターンを決定するステップと、
前記選択されて表示される画像データが表示される前の表示直前期間に、前記選択されて表示される画像データまたは前記選択されて表示される画像データに関連する画像データを、前記決定されたパターンにしたがって表示態様を変化させて表示するステップと、を含む画像再生プログラム。
【発明の詳細な説明】
【技術分野】
【０００１】
この発明は、画像再生装置、画像再生方法および画像再生プログラムに関し、特に複数種類の画像を順に再生する機能を備えた画像再生装置、画像再生方法および画像再生プログラムに関する。
【背景技術】
【０００２】
デジタルカメラで代表される撮影装置は、静止画または動画を撮影可能である。この撮影装置は、撮影された静止画と動画とを同じフォルダに記憶するものがある。ユーザが、同じフォルダに記憶された複数の静止画および動画のうちから１つを選択する場合には、静止画と動画の１フレームとを順に表示する。ユーザは、所望する静止画または動画の１フレームが表示された時点で、所望する静止画または動画を選択することができる。この場合に、表示された画像から、それが静止画と動画のいずれであるかをユーザに通知するために、動画であることを示すアイコンを表示するものがある。
【０００３】
特開２００７−３１８８０１号公報には、静止画が記憶されたファイルと動画が記憶されたファイルとが混在する複数のファイルに基づいて、該複数のファイルの静止画又は動画に対応する複数コマからなるインデックス画像の表示が指令されると、前記複数のファイルに基づいて静止画の画像及び動画の１コマの画像の複数コマからなるインデックス画像を構成し、該インデックス画像を表示させるとともに、このインデックス画像を構成する複数コマのうち動画に対応する画像については、該画像を振動させて動画の１コマであることが認識可能に表示させるようにした画像再生装置が記載されている。
【０００４】
しかしながら、従来の画像再生装置においては、静止画または動画の１コマが完全に表示された後でなければ、静止画か動画かを判断することができないといった問題がある。
【特許文献１】特開２００７−３１８８０１号公報
【発明の概要】
【発明が解決しようとする課題】
【０００５】
この発明は、上述した問題点を解決するためになされたもので、この発明の目的の１つは、画像データが表示される前の段階で、画像データの種類を通知することが可能な画像再生装置を提供することである。
【０００６】
この発明の他の目的は、画像データが表示される前の段階で、画像データの種類を通知することが可能な画像再生方法を提供することである。
【０００７】
この発明のさらに他の目的は、画像データが表示される前の段階で、画像データの種類を通知することが可能な画像再生プログラムを提供することである。
【課題を解決するための手段】
【０００８】
上述した目的を達成するためにこの発明のある局面によれば、画像再生装置は、複数の画像データを記憶可能な記憶手段と、記憶された複数の画像データのうちから１つを選択して表示する選択表示手段と、を備え、選択表示手段は、選択されて表示される画像データの種類を判別する種類判別手段と、表示態様が変化する複数のパターンのうち判別された種類に対応付けられたパターンを決定するパターン決定手段と、選択されて表示される画像データが表示される前の表示直前期間に、選択されて表示される画像データまたは選択されて表示される画像データに関連する画像データを、決定されたパターンにしたがって表示態様を変化させて表示する切換表示手段と、を含む。
【０００９】
この局面に従えば、例えば画像送り指示によって記憶された複数の画像データうちから１つが選択されると、選択されて表示される画像データの種類が判別され、表示態様が変化する複数のパターンのうち判別された種類に対応付けられたパターンが決定され、選択されて表示される画像データを表示する前の表示直前期間に、画像データまたは画像データに関連する画像データが、決定されたパターンにしたがって表示態様を変化させて表示される。このため、ユーザは、画像データが完全に表示される前に、画像データの種類を知ることができる。その結果、画像データが表示される前の段階で、画像データの種類を通知することが可能な画像再生装置を提供することができる。
【００１０】
好ましくは、複数の画像データ各々に関連付けて、当該画像データの画像を縮小した縮小画像の画像データを記憶手段に記憶する縮小画像関連付手段を、さらに備え、切換表示手段は、表示直前期間に選択されて表示される画像データに関連付けられた縮小画像の画像データを、表示態様を変化させて表示する。
【００１１】
この局面に従えば、表示直前期間に選択されて表示される画像データに関連付けられた縮小画像の画像データが、表示態様を変化させて表示されるので、処理時間を短くして表示直前期間を短くすることができる。
【００１２】
好ましくは、種類判別手段は、静止画の画像データと動画の画像データとを異なる種類として判別する。
【００１３】
この局面に従えば、選択された画像データが、静止画であるのか、または動画であるのかをユーザに通知することができる。
【００１４】
好ましくは、被写体を撮影し、画像データを出力する撮影手段と、撮影手段が出力する画像データを記憶手段に記憶する記憶制御手段を、さらに備える。
【００１５】
この局面に従えば、撮影された画像を表示することができる。
【００１６】
好ましくは、撮影手段の動作を定める撮影モードを設定する撮影モード設定手段をさらに備え、記憶制御手段は、撮影モードとして静止画を撮影する単独撮影モードが設定されている状態で、撮影手段がユーザによる撮影指示に応じて出力する１つの静止画に撮影モードを関連付けて記憶し、撮影モードとして静止画を連続して撮影する連続撮影モードが設定されている状態で、撮影手段がユーザによる撮影指示に応じて出力する複数の静止画各々に撮影モードを関連付けて記憶し、種類判別手段は、撮影モードに単独撮影モードが関連付けられた静止画と、撮影モードに連続撮影モードが関連付けられた静止画とを、異なる種類として判別する。
【００１７】
この局面に従えば、画像データが単独撮影モードと連続撮影モードとのいずれで撮影されたかをユーザに通知することができる。
【００１８】
好ましくは、２次元の画像を撮影する２次元撮影モードと３次元の画像を撮影する３次元撮影モードとのいずれかに撮影モードを設定する撮影モード設定手段と、をさらに備え、撮影手段は、第１撮影手段と第２撮影手段と、を含み、記憶制御手段は、撮影モードとして２次元撮影モードが設定されている状態で、第１および第２撮影手段のいずれか一方が出力する画像データに撮影モードを関連付けて記憶し、撮影モードとして３次元撮影モードが設定されている状態で、第１および第２撮影手段がそれぞれ出力する２つの画像データに基づいて生成される３次元画像の画像データに撮影モードを関連付けて記憶し、種類判別手段は、撮影モードに２次元撮影モードが関連付けられた画像データと、撮影モードに３次元撮影モードが関連付けられた画像データとを、異なる種類として判別する。
【００１９】
この局面に従えば、画像データが２次元画像と３次元画像とのいずれであるかをユーザに通知することができる。
【００２０】
好ましくは、撮影手段が被写体を撮影したときの撮影条件を検出する撮影条件検出手段をさらに備え、記憶制御手段は、撮影手段が出力する画像に検出された撮影条件を関連付けて記憶し、種類判別手段は、所定の範囲外の撮影条件が関連付けられた画像データと、所定の範囲内の撮影条件が関連付けられた画像データとを、異なる種類として判別する。
【００２１】
この局面に従えば、所定の範囲内の撮影条件で撮影された画像データであるか否かをユーザに通知することができる。
【００２２】
好ましくは、撮影手段が出力する画像、または記憶手段に記憶された画像を解析し、画像中に含まれる被写体の特徴を検出する画像解析手段を、さらに備え、種類判別手段は、画像解析手段により検出される特徴に基づいて種類を判別する。
【００２３】
この局面に従えば、画像データの画像中に含まれる被写体の特徴を、ユーザに通知することができる。
【００２４】
好ましくは、複数のパターンは、画像のうち表示する部分を変化させるパターン、画像のサイズを変化させるパターン、画像の形状を変化させるパターン、画像の輝度を変化させるパターン、画像の色を変化させるパターンのうちから選択された１以上の組み合わせを含む。
【００２５】
この発明の他の局面によれば、画像再生方法は、複数の画像データを記憶可能な記憶手段を備えた画像再生装置で実行される画像再生方法であって、記憶された複数の画像データのうちから１つを選択して表示するステップを含み、前記選択して表示するステップは、選択されて表示される画像データの種類を判別するステップと、表示態様が変化する複数のパターンのうち判別された種類に対応付けられたパターンを決定するステップと、選択されて表示される画像データが表示される前の表示直前期間に、選択されて表示される画像データまたは選択されて表示される画像データに関連する画像データを、決定されたパターンにしたがって表示態様を変化させて表示するステップと、を含む。
【００２６】
この局面に従えば、画像データが表示される前の段階で、画像データの種類を通知することが可能な画像再生方法を提供することができる。
【００２７】
この発明の他の局面によれば、画像再生プログラムは、複数の画像データを記憶可能な記憶制御手段を備えた画像再生装置を制御するコンピュータで実行される画像再生プログラムであって、記憶された複数の画像データのうちから１つを選択して表示するステップをコンピュータに実行させ、選択して表示するステップは、選択されて表示される画像データの種類を判別するステップと、表示態様が変化する複数のパターンのうち判別された種類に対応付けられたパターンを決定するステップと、選択されて表示される画像データが表示される前の表示直前期間に、選択されて表示される画像データまたは選択されて表示される画像データに関連する画像データを、決定されたパターンにしたがって表示態様を変化させて表示するステップと、を含む。
【００２８】
この局面に従えば、画像データが表示される前の段階で、画像データの種類を通知することが可能な画像再生プログラムを提供することができる。
【図面の簡単な説明】
【００２９】
【図１】本発明の実施の形態に係るデジタルカメラの構成の概略の一例を示すブロック図である。
【図２】本実施の形態における制御部が有する機能の一例を示す機能ブロック図である。
【図３】パターン名「スライドイン」のパターンにおける表示態様の変化を説明する図である。
【図４】パターン名「ズーム」のパターンにおける表示態様の変化を説明する図である。
【図５】画像再生処理の流れの一例を示すフローチャートである。
【図６】パターンと表示態様との関係を示す図である。
【図７】パターン名「ブラインド」のパターンにおける表示態様の変化を説明する図である。
【図８】パターン名「フェード」のパターンにおける表示態様の変化を説明する図である。
【図９】パターン名「カラーブレンド」のパターンにおける表示態様の変化を説明する図である。
【図１０】画像の種類をファイル種別と撮影モードとの組み合わせとした場合のパターンテーブルの一例を示す図である。
【発明を実施するための形態】
【００３０】
以下、本発明の実施の形態について図面を参照して説明する。以下の説明では同一の部品には同一の符号を付してある。それらの名称および機能も同じである。したがってそれらについての詳細な説明は繰り返さない。
【００３１】
本実施の形態においては、画像再生装置の一例としてデジタルカメラを説明する。なお、画像再生装置は、デジタルカメラに限られず、静止画および動画を含む複数の画像を記憶する機能、それらを再生する機能を有していれば、例えば、デジタルスチルカメラ、ビデオカメラ、携帯電話機、音楽プレーヤ、コンピュータ等であってもよい。
【００３２】
図１は、本発明の実施の形態に係るデジタルカメラの構成の概略の一例を示すブロック図である。図１を参照して、デジタルカメラ１は、デジタルカメラ１の全体を制御するＣＰＵ１１と、フォーカスレンズ１３Ｆおよびズームレンズ１３Ｚを含む複数のレンズで構成されるレンズ群１３と、シャッタ１４と、レンズ群１３およびシャッタ１４を駆動するレンズ駆動部１５と、手振れ補正ユニット１７と、イメージセンサ１９と、コーデック（ＣＯＤＥＣ）２１と、画像処理する信号処理回路２２と、液晶表示装置（ＬＣＤ）２３と、ＣＰＵ１１が実行するためのプログラム等を記憶するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）２５と、ＣＰＵ１１の作業領域として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２７と、メモリカード２９Ａが装着されるカードインターフェース（Ｉ／Ｆ）２９と、ジャイロセンサ３３と、使用者の操作を受け付ける操作部３５と、デジタルカメラ１の全体に電力を供給するバッテリ４１と、を含む。
【００３３】
レンズ群１３は、デジタルカメラ１本体の前面に設けられ、ＬＣＤ２３は、レンズ群１３が設けられる面とは反対のデジタルカメラ１の背面に設けられる。レンズ群１３は、レンズ駆動部１５により制御される。レンズ駆動部１５は、ＣＰＵ１１により制御され、レンズ群１３のフォーカスレンズ１３Ｆを移動させるとともに、レンズ群１３に設けられた絞り機構（図示省略）の絞りを調整する。レンズ群１３は、ズーム倍率を変更、調整するために設けられたズームレンズ１３Ｚを有する。
【００３４】
イメージセンサ１９は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の光電変換素子であり、その結像面がレンズ群１３の光軸に対して垂直となる。イメージセンサ１９は、レンズ群１３を介して結像面に結像する被写体の光学画像を光電変換し、画像データをＣＰＵ１１に出力する。ＣＰＵ１１は、イメージセンサ１９から出力される画像データを受け付け、画像データをＳＤＲＡＭ２７に記憶する。ここでの画像データは、例えば、１画素がＲ（赤）Ｇ（緑）Ｂ（青）で構成されるビットマップ形式のデータである。なお、イメージセンサ１９は、ＣＭＯＳイメージセンサに限定されるものではなく、ＣＣＤ（Ｃｈａｒｇｅ  Ｃｏｕｐｌｅｄ  Ｄｅｖｉｃｅ）イメージセンサを用いてもよい。なお、本実施例では、イメージセンサ１９からの出力は、アナログ／デジタル変換器（図示省略）によってデジタルの画像データに変換されている。
【００３５】
シャッタ１４は、レンズ群１３とイメージセンサ１９との間に設けられ、静止画を撮影する場合に、レンズ駆動部１５により制御される。レンズ駆動部１５は、シャッタ１４の開閉を制御することにより、シャッタ速度を調整する。レンズ駆動部１５は、使用者が操作部３５の備えるシャッタボタン３５Ａを半押し状態にする場合、または、動画像の撮影を開始するボタンを押下する場合、シャッタ１４を開放し、所定の時間間隔で１フレームの画像データを出力する。フレームとは、動画像を構成する単位であり、１フレームは１枚の画像を意味する。また、フレームはフィールドに置き換えることができる。所定の時間間隔とは、例えばフレームレートが３０ＦＰＳであれば、１／３０秒である。
【００３６】
ＣＰＵ１１は、使用者が操作部３５の備えるシャッタボタン３５Ａを半押し状態にすることに応じて、レンズ駆動部１５にレンズ群１３のフォーカスレンズ１３Ｆを移動させるとともに、イメージセンサ１９から出力される画像データに基づいて、レンズ群１３の焦点を合わせるオートフォーカス処理を実行するとともに、露出を決定する。露出は、シャッタ１４を開放する時間を定めるシャッタ速度と、レンズ群１３に設けられた絞り機構の絞り量とを含む。
【００３７】
なお、本実施の形態においては、イメージセンサ１９から出力される画像データに基づいて、レンズ群１３の焦点を合わせるオートフォーカス処理を実行する例を示すが、赤外線などを用いて、被写体までの距離を測距し、フォーカスレンズ１３Ｆの位置を定めるようにしてもよい。また、本実施の形態においては、イメージセンサ１９から出力される画像データに基づいて、露出を決定するようにしたが、レンズ群１３を透過する光量を測量するために、イメージセンサ１９とは別にセンサを設けるようにし、別のセンサで測量された光量から露出を決定するようにしてもよい。
【００３８】
イメージセンサ１９は、ＣＰＵ１１により制御され、光電変換する時間が制御される。具体的には、ＣＰＵ１１は、イメージセンサ１９に光電変換を開始させる場合、レンズ駆動部１５にシャッタ１４を開放させる。これにより、レンズを透過した光がイメージセンサ１９に結像するので、イメージセンサ１９が光電変換を開始する。ＣＰＵ１１は、シャッタ速度により定まる露光時間が経過すると、レンズ駆動部１５にシャッタ１４と閉じさせ、イメージセンサ１９に画像データを出力させる。なお、イメージセンサ１９が備える電子シャッタ機能を用い、シャッタ１４を開放して、ＬＣＤ２３にイメージセンサ１９から出力される画像データをスルー画像として表示させることができる。イメージセンサ１９が備える電子シャッタ機能を用いると、追って記憶される画像データを得るための露光時間終了時からイメージセンサ１９が画像データの出力が完了するまでの間のみシャッタ１４を閉じるようにすることができる。
【００３９】
信号処理回路２２は、ＳＤＲＡＭ２７に記憶された画像データを読み出し、画像データに対して種々の信号処理を施し、輝度信号と色差信号とで表される表色系のＹＵＶ形式に変換する。信号処理回路２２は、ＹＵＶ形式の画像データをＳＤＲＡＭ２７に記憶する。
【００４０】
ＣＰＵ１１は、ＳＤＲＡＭ２７に記憶されたＹＵＶ形式の画像データからＲＧＢ信号を生成し、ＬＣＤ２３に出力する。これにより、ＬＣＤ２３にイメージセンサ１９が被写体を撮影して出力する画像が表示される。なお、ＬＣＤ２３に代えて、有機ＥＬ（ＥｌｅｃｔｒｏＬｕｍｉｎｅｓｃｅｎｃｅ）ディスプレイを用いてもよい。
【００４１】
コーデック２１は、ＣＰＵ１１により制御され、ＳＤＲＡＭ２７に記憶されたＹＵＶ形式の画像データを読出し、画像データを圧縮符号化する。ここでは、コーデック２１は、画像データをＭＰＥＧ方式またはＪＰＥＧ方式で圧縮符号化する。
【００４２】
ＣＰＵ１１は、コーデック２１により圧縮符号化された画像データを、メモリカード２９Ａに記憶する。メモリカード２９Ａは、記憶領域を複数のフォルダに分割することが可能であり、ＣＰＵ１１は、メモリカード２９Ａが有する複数の記憶領域のうち予め定められた記憶領域に画像データを記憶する。
【００４３】
ジャイロセンサ３３は、デジタルカメラ１の本体が回転する際の角速度を検出する。ここでは、水平方向をＸ軸、垂直方向をＹ軸、レンズの光軸をＺ軸とすると、ジャイロセンサ３３は、Ｙ軸を中心とする回転方向（ヨー方向）の角速度と、Ｘ軸を中心とする回転方向（ピッチ方向）の角速度を検出し、ヨー方向およびピッチ方向それぞれの角速度をＣＰＵ１１に出力する。ＣＰＵ１１においては、ヨー方向の角速度からＸ軸方向の本体の移動量を算出し、ピッチ方向の角速度からＹ軸方向の本体の移動量を算出する。
【００４４】
手振れ補正ユニット１７は、イメージセンサ１９を移動させ、イメージセンサ１９の結像面に結像した光学画像のぶれを最小にする。このため、手振れ補正ユニット１７は、イメージセンサ１９の結像面に平行で互いに交わる２方向にイメージセンサ１９を移動させるために、２方向それぞれに対応する駆動部を含む。ここでは、２方向を、互いに直角に交わる水平方向（Ｘ軸方向）と垂直方向（Ｙ軸方向）としている。イメージセンサ１９の結像面は、レンズ群１３の光軸に垂直な面である。手振れ補正ユニット１７によって、イメージセンサ１９の結像面に平行で互いに交わる２方向にイメージセンサ１９が移動するので、手振れしても同一被写体を露光中、振れなく撮影することができる。
【００４５】
カードＩ／Ｆ２９は、不揮発性メモリを備えたメモリカード２９Ａが装着される。ＣＰＵ１１は、カードＩ／Ｆ２９を介して、メモリカード２９Ａにアクセス可能であり、ＳＤＲＡＭ２７に記憶された符号化データをメモリカード２９Ａに記憶する。
【００４６】
図２は、本実施の形態における制御部が有する機能の一例を示す機能ブロック図である。図２に示す機能は、ＣＰＵ１１がＥＥＰＲＯＭ２５に記憶された画像再生プログラムを実行することにより、ＣＰＵ１１に実現される。なお、ＣＰＵ１１に代えて、図２に示した機能を回路で実現するようにしてもよい。
【００４７】
なお、ここでは画像再生プログラムをＥＥＰＲＯＭ２５に記憶する例を示すが、メモリカード２９Ａに記憶された画像再生プログラムをＳＤＲＡＭ２７にロードして実行するようにしてもよい。なお、画像再生プログラムを記憶する記憶媒体としては、メモリカード２９Ａに限られず、フレキシブルディスク、カセットテープ、光ディスク（ＣＤ−ＲＯＭ／ＭＯ／ＭＤ／ＤＶＤ）、ＩＣカード、光カード、マスクＲＯＭ、ＥＰＲＯＭ、ＥＥＰＲＯＭなどの半導体メモリ等でもよい。また、ネットワークなどに接続するための通信回路を備える場合には、通信回路を介してネットワークに接続された他のコンピュータから画像再生プログラムをダウンロードして、そのプログラムをＥＥＰＲＯＭ２５に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００４８】
図２を参照して、ＣＰＵ１１は、メモリカード２９Ａに記憶された複数の画像データを順に表示する画像表示制御部５１と、撮影モードを設定する撮影モード設定部６１と、撮影モードにしたがって被写体を撮影する撮影制御部６３と、撮影条件を検出する撮影条件検出部６５と、メモリカード２９に画像データを記憶する条件を設定する記憶条件設定部６７と、記憶条件にしたがって撮影制御部６３が出力する画像データをメモリカード２９に記憶する記憶制御部６９と、を含む。
【００４９】
撮影モード設定部６１は、ユーザが操作部３５に入力する撮影モードを設定する。撮影モード設定部６１は、ＬＣＤ２３に撮影モードを設定するための設定画面を表示し、使用者が操作部３５に入力する撮影モードを設定する操作を受け付ける。撮影モードは、撮影制御部６３が被写体を撮影し、画像データを出力するまでの処理を実行するための条件である。撮影モードは、静止画を撮影する静止画撮影モードと、動画を撮影する動画撮影モードと、を含む。さらに、撮影モードは、静止画撮影モードにおいて、使用者による１回の撮影指示に対して１つの静止画を撮影する単独撮影モードと、使用者による１回の撮影指示に対して連続した複数の静止画を撮影する連続撮影モードと、を含み、動画撮影モードにおいて逆光での動画撮影時に補正する逆光撮影モードと、室内での動画撮影時に補正する室内撮影モードと、を含む。撮影モード設定部６１は、設定された撮影モードを、撮影制御部６３および記憶制御部６９に出力する。
【００５０】
なお、撮影モードは、これらに限定されることなく、被写体を撮影してから画像データを記憶する一連の処理を実行するための動作を定めるものであれば、例えば、露出またはシャッタ速度を決定するモード等であってもよい。
【００５１】
撮影制御部６３は、撮影モード設定部６１から撮影モードが入力され、レンズ駆動部１５、イメージセンサ１９および手振れ補正ユニット１７を撮影モードにしたがって制御し、イメージセンサ１９から出力される画像データを、記憶制御部６９に出力する。撮影制御部６３が出力する画像データは、静止画の画像データと、動画の画像データとを含む。以下、単に画像データというときは、静止画の画像データと、動画の画像データとを含む。
【００５２】
撮影条件検出部６５は、撮影制御部６３が撮影する条件を検出する。撮影条件は、被写体に対して合焦しているか否かを示す撮影条件と、明るさが正常な画像が撮影されているか否かを示す撮影条件と、手振れしているか否かを示す撮影条件と、を含む。撮影条件検出部６５は、ＡＦ評価値を算出し、ＡＦ評価値に基づいて、被写体に対して合焦しているか否かを示す撮影条件を検出する。ＡＦ評価値は、画像データの先鋭度を示す値であり、例えば画像データの高域成分の値である。例えば、ＡＦ評価値は、隣接する画素の画素値の差分を用いることができる。先鋭度を算出するフィルターを用いて、画像データを処理し、ＡＦ評価値を算出するようにしてもよい。また、画像データ中の複数の領域各々で先鋭度を算出し、算出された複数の先鋭度を重み付け平均した値をＡＦ評価値としてもよい。撮影条件検出部６５は、ＡＦ評価値が、しきい値以上の極値となるとき、被写体に対して合焦していると判断し、ＡＦ評価値が、しきい値以上の極値とならないとき、被写体に対して合焦していないと判断する。撮影条件検出部６５は、算出されたＡＦ評価値に基づいて、被写体に対して合焦しているか否かを検出し、被写体に対して合焦しているか否かを示す撮影条件を、記憶制御部６９に出力する。
【００５３】
また、撮影条件検出部６５は、ＡＥ評価値を算出し、ＡＥ評価値に基づいて、明るさが正常か否かを示す撮影条件を検出する。ＡＥ評価値は、画像データの明るさを示す尺度であり、例えば、画像データ中の複数の領域の輝度値を重み付け平均した値をＡＥ評価値とすることができる。撮影条件検出部６５は、ＡＥ評価値が、上限しきい値ＴＢ１以下および下限しきい値ＴＢ２以上の場合、明るさが正常な画像が撮影されていると判断し、ＡＥ評価値が、上限しきい値ＴＢ１以下および下限しきい値ＴＢ２以上でない場合、明るさが正常な画像が撮影されていないと判断する。撮影条件検出部６５は、算出されたＡＥ評価値に基づいて、明るさが正常な画像が撮影されているか否かを検出し、明るさが正常な画像が撮影されているか否かを示す撮影条件を、記憶制御部６９に出力する。
【００５４】
さらに、撮影条件検出部６５は、手振れ補正ユニット１７が出力する手振れ量が、手振れ補正ユニット１７により補正可能な範囲を超えたか否かを判断し、手振れ量が、補正可能範囲を超えたならば手振れしていると判断し、手振れ量が、手振れ補正範囲内ならば手振れしていないと判断する。撮影条件検出部６５は、手振れしているか否かを示す撮影条件を、記憶制御部６９に出力する。
【００５５】
記憶条件設定部６７は、ユーザが操作部３５に入力する記憶条件を設定する。記憶条件設定部６７は、ＬＣＤ２３に記憶条件を設定するための記憶条件設定画面を表示し、使用者が操作部３５に入力する記憶条件を設定する操作を受け付ける。記憶条件は、画像データをメモリカード２９Ａに記憶するための条件であり、例えば、記憶される画像データのサイズを定める画素数、画像データを圧縮する圧縮符号化方式、圧縮率等である。記憶条件設定部６７は、設定された記憶条件を記憶制御部６９に出力する。
【００５６】
記憶制御部６９は、静止画記憶部７１と、動画記憶部７３と、特徴付与部７５と、を含む。静止画記憶部７１は、撮影モード設定部６１により静止画撮影モードに設定された場合に能動化され、撮影制御部６３から入力される静止画の画像データを記憶条件設定部６７から入力される記憶条件にしたがって圧縮し、圧縮された静止画の画像データをメモリカード２９Ａに記憶する。また、静止画記憶部７１は、静止画を縮小した縮小画像を生成し、生成された縮小画像の画像データを静止画の画像データに関連付けて記憶する。縮小画像は、サイズが予め定められた画像である。静止画記憶部７１は、撮影モード設定部６１から入力される撮影モードと、撮影条件検出部６５から入力される撮影条件と、を静止画の画像データにさらに関連付けて記憶する。
【００５７】
動画記憶部７３は、撮影モード設定部６１により動画撮影モードに設定された場合に能動化され、撮影制御部６３から入力される動画の画像データを記憶条件設定部６７から入力される記憶条件にしたがって圧縮し、圧縮された動画の画像データをメモリカード２９Ａに記憶する。動画記憶部７３は、撮影制御部６３から入力される動画の１コマの静止画を代表画像として選択し、代表画像を縮小した代表縮小画像を生成し、生成された代表縮小画像の画像データを動画の画像データと関連付けて記憶する。代表縮小画像は、静止画の縮小画像とサイズが同じ静止画である。動画記憶部７３は、撮影モード設定部６１から入力される撮影モードと、撮影条件検出部６５から入力される撮影条件とを、動画の画像データにさらに関連付けて記憶する。
【００５８】
特徴付与部７５は、撮影制御部６３から入力される画像データを解析し、画像の特徴を抽出する。画像の特徴は、静止画または動画のフレーム中に含まれる被写体が人物か否かの情報を含む。また、画像の特徴は、被写体が人物の場合に、赤目か否かの情報を含む。画像の特徴は、被写体が人物の場合に、被写体となる人物の数を含む。特徴付与部７５は、静止画記憶部７１により記憶された静止画の画像データまたは動画記憶部７３により記憶された動画の画像データに関連付けて画像の特徴を記憶する。
【００５９】
画像表示制御部５１は、メモリカード２９Ａに記憶された複数種類の画像データのうちから１つを選択し、選択された画像データに関連付けられた画像データを表示する。具体的には、選択された画像データが静止画の場合は、画像データに関連付けられた縮小画像の画像データを表示し、選択された画像データが動画の場合は、画像データに関連付けられた代表縮小画像の画像データを表示する。表示画像制御部５１は、メモリカード２９Ａに記憶された複数種類の画像データのうちから１つを選択する画像データ選択部５３と、選択された画像データの画像の種類を判別する種類判別部５５と、表示態様が変化する複数のパターンのうちか１つを決定するパターン決定部５７と、切換表示部５９と、を含む。
【００６０】
画像データ選択部５３は、使用者が操作部３５に閲覧指示を入力すると、メモリカード２９Ａに記憶された複数の画像データのうちから１つを順に選択する。画像データ選択部５３は、メモリカード２９Ａに記憶された順に画像データを選択する。画像データ選択部５３が最初に選択する画像データは、デジタルカメラ１の状態によって異なる。静止画または動画を撮影した直後に、閲覧指示が入力される場合には、メモリカード２９Ａに最後に記憶された画像データを最初に選択する。また、デジタルカメラ１に電源が投入された直後に閲覧指示が入力される場合には、メモリカード２９Ａに最初に記憶された画像データを最初に選択する。画像データ選択部５３は、選択された画像データの識別情報を種類判別部５５に出力する。ここでは、画像データの識別情報をファイル名としている。
【００６１】
種類判別部５５は、画像データ選択部５３から入力される識別情報の画像データの種類を判別し、判別した種類をパターン決定部５７に出力する。種類は、動画および静止画の別を含む。
【００６２】
パターン決定部５７は、種類判別部５５から種類が入力され、予め準備された複数のパターンのうちから種類に対して予め定められたパターンを決定する。パターン決定部５７は、決定したパターンのパターン名を切換表示部５９に出力する。パターンは、画像データが完全に表示される前の表示直前期間に、時間の経過に伴って表示される画像の表示態様を変化させる方法を定める。表示態様は、画像を表示する位置、形状、大きさ、輝度および色を含む。ここでは、画像の種類が「静止画」に対して、パターン名「スライドイン」のパターンを割り当てる。パターン名「スライドイン」のパターンは、表示態様のうち画像を表示する位置を変化させる方法である。具体的には、縮小画像を表示可能範囲外から上側から下側に移動させる。このパターンで縮小画像の表示態様が変化すると、縮小画像のうちで表示可能範囲に侵入する部分が縮小画像の下方から徐々に上方に広がるので、縮小画像が上側からスライド移動するように見える。
【００６３】
また、画像の種類が「動画」に対してパターン名「ズーム」のパターンを割り当てる。パターン名「ズーム」のパターンは、表示態様のうち画像の大きさを変化させる方法である。具体的には、代表縮小画像を縮小した画像を表示可能範囲の中心に配置して表示した状態から、代表縮小画像を徐々に拡大して表示する。ことにより、表示される代表縮小画像のサイズを徐々に拡大する方法を割り当てる。このパターンで表示態様を変化させると、代表縮小画像が徐々に大きく表示されるので、ズームインするように見える。
【００６４】
切換表示部５９は、画像データ選択部５３により選択された画像データが静止画の場合、静止画の画像データに関連付けられた縮小画像の画像データを、パターン決定部５７から入力されるパターン名「スライドイン」のパターンにしたがって、直前表示時間の間、表示態様を変化させてＬＣＤ２３に表示する。切換表示部５９により縮小画像が完全に表示されるまでの表示態様の変化によって、使用者は選択された画像データが静止画であることを知ることができる。切換表示部５９は、画像データ選択部５３により選択された画像データが動画の場合、動画の画像データに関連付けられた代表縮小画像の画像データを、パターン決定部５７から入力されるパターン名「ズーム」のパターンにしたがって、直前表示時間の間、表示態様を変化させてＬＣＤ２３に表示する。切換表示部５９により代表縮小画像が完全に表示されるまでの表示態様の変化によって、使用者は選択された画像データが動画であることを知ることができる。直前表示時間は、静止画の画像データを表示する前、動画の代表縮小画像の画像データを表示する前の時間であって、予め定められた時間である。
【００６５】
また、切換表示部５９は、画像データが静止画の場合は縮小画像の画像データを、画像データが動画の場合は代表縮小画像の画像データを、表示態様を変化させてＬＣＤ２３に表示する。縮小画像は、静止画を縮小した画像であり、代表縮小画像は、動画の１フレームを縮小した画像なので、データ量が小さい。このため、静止画または動画の１フレームを表示する場合に比較して処理速度を短くすることができる。このため、直前表示時間をできるだけ短くすることができる。
【００６６】
図３（Ａ）〜（Ｃ）は、パターン名「スライドイン」のパターンにおける表示態様の変化を説明する図である。ここでは、画像３０１が表示されている状態で、静止画の画像データに関連付けられた縮小画像３０３の画像データが表示される場合を想定し、画像３０１から縮小画像３０３へ表示が切り換わる態様の変化を示す。パターン名「スライドイン」のパターンにおける表示態様においては、画像３０１の左側の部分に、縮小画像３０３の右側の一部分が重畳して表示され、重畳する部分の割合が、時間の経過とともに増加する。図３（Ａ）は、画像の切換前の状態を示す図である。図３（Ａ）を参照して、縮小画像３０３が表示される前の画像３０１が表示されている。図３（Ｂ）は、切換途中の状態を示す図である。図３（Ｂ）を参照して、画像３０１の左側半分の部分に縮小画像３０３の右側半分の部分が重畳して表示される。図３（Ｃ）は、画像の切換後の状態を示している。図３（Ｃ）を参照して、縮小画像３０３が画面の全体に表示され、画像３０１は表示されない。
【００６７】
図４（Ａ）〜（Ｃ）は、パターン名「ズーム」のパターンにおける表示態様の変化を説明する図である。ここでは、画像３０１が表示されている状態で、動画の画像データに関連付けられた代表縮小画像３１３の画像データが表示される場合を想定し、画像３０１から代表縮小画像３１３へ表示が切り換わる態様の変化を示す。パターン名「ズーム」のパターンにおける表示態様においては、画像３０１の中心の部分に、代表縮小画像３１３を縮小した画像３１３Ａが重畳して表示され、その後、画像３１３Ａが徐々に拡大して画像３０１に重畳する部分の割合が、時間の経過とともに増加する。図４（Ａ）は、画像の切換前の状態を示す図である。図４（Ａ）を参照して、代表縮小画像３１３が表示される前の画像３０１が表示されている。図４（Ｂ）は、切換途中の状態を示す図である。図４（Ｂ）を参照して、画像３０１の中心に代表縮小画像３１３を縮小した画像３１３Ａが重畳して表示される。図４（Ｃ）は、画像の切換後の状態を示している。図４（Ｃ）を参照して、代表縮小画像３１３が画面の全体に表示され、画像３０１は表示されない。
【００６８】
図５は、画像再生処理の流れの一例を示すフローチャートである。画像再生処理は、ＣＰＵ１１がＥＥＰＲＯＭ２５またはメモリカード２９Ａに記憶された画像再生プログラムを実行することによりＣＰＵ１１により実行される処理である。図５を参照して、ＣＰＵ１１は、閲覧指示を受け付けたか否かを判断する。ユーザが操作部３５に閲覧指示を入力すれば、操作部３５から閲覧指示を受け付ける。閲覧指示を受け付けるまで待機状態となり（ステップＳ０１でＮＯ）、閲覧指示を受け付けたならば（ステップＳ０１でＴＥＳ）、処理をステップＳ０２に進める。
【００６９】
ステップＳ０２においては、処理対象とする最初の画像データを選択する。メモリカード２９Ａに記憶された複数の静止画および動画の画像データうちから１つを選択する。静止画または動画を撮影した直後に、閲覧指示が入力される場合には、メモリカード２９Ａに最後に記憶された静止画または動画の画像データを選択し、デジタルカメラ１に電源が投入された直後に閲覧指示が入力される場合には、メモリカード２９Ａに最初に記憶された静止画または動画の画像データを選択する。
【００７０】
次のステップＳ０３においては、関連画像データを読み出す。処理対象に選択された画像データに関連付けられた画像データを読み出す。静止画の画像データには縮小画像の画像データが関連付けられており、動画の関連画像の画像データには代表縮小画像の画像データが関連付けられている。
【００７１】
そして、処理対象に選択された画像データの画像の種類を判別する（ステップＳ０４）。画像の種類は、ここでは、ファイル種別であり、動画と静止画とのいずれであるかを判別する。次のステップＳ０５においては、パターンを決定する。ステップＳ０４において判別された画像の種類に対応して予め定められたパターンを決定する。ここでは、ステップＳ０３において画像の種類が静止画と判別された場合にはパターン名「スライドイン」のパターンに決定し、ステップＳ０３において画像の種類が動画と判別された場合にはパターン名「ズーム」のパターンに決定する。
【００７２】
次のステップＳ０６においては、ステップＳ０３において読み出された関連画像データを、ステップＳ０５において決定されたパターンにしたがってＬＣＤ２３に表示する。処理対象に選択されている画像データが静止画の場合、縮小画像がパターン名「スライドイン」のパターンで表示され、選択された画像データが動画の場合、代表縮小画像がパターン名「ズーム」のパターンで表示される。このため、縮小画像または代表縮小画像が表示される表示態様の変化から選択された画像データの種類、ここでは、静止画と動画像との別を知ることができる。また、選択された画像データそのものを表示するのに代えて、縮小画像または代表縮小画像の画像データを表示するので、表示のために処理対象とするデータ量を小さくして、画像を表示する時間を短くすることができる。
【００７３】
ステップＳ０７においては、処理対象に選択されている画像データのファイル種別によって処理を分岐させる。ファイル種別が静止画ならば処理をステップＳ０８に進め、動画ならば処理をステップＳ０９に進める。ステップＳ０８においては、縮小画像の画像データに代えて処理対象に選択されている静止画の画像データを表示し、処理をステップＳ１４に進める。縮小画像の画像データをパターンにしたがって表示態様を変化させた表示が終了した後、静止画の画像データそのものを表示する。これにより、より画質のよい画像をユーザは閲覧することができる。
【００７４】
一方、処理がステップＳ０９においては、代表縮小画像の画像データをパターン名「ズーム」のパターンにしたがって表示態様を変化させる表示が終了した後、代表縮小画像の画像データを表示する。そして、再生指示を受け付けたか否かを判断する（ステップＳ１０）。操作部３５が備える再生ボタンがユーザにより指示されると、再生指示を受け付ける。再生指示を受け付けたならば処理をステップＳ１１に進めるが、そうでなければ処理をステップＳ１４に進める。
【００７５】
ステップＳ１１においては、処理対象に選択されている画像データの動画を再生する。これにより、再生した動画が代表縮小画像に代えて表示される。そして、再生が終了したか否かを判断する。動画の再生が終了した場合、または、ユーザによる操作部３５の備える停止ボタンの指示を検出すると、再生が終了したと判断する。再生が終了したならば処理をステップＳ１３に進めるが、そうでなければ処理をステップＳ１１に戻す。ステップＳ１３においては、動画の再生を終了し、処理をステップＳ１４に進める。
【００７６】
ステップＳ１４においては、送り指示を受け付けたか否かを判断する。ユーザが、操作部３５の備える送りボタンを指示すれば、操作部３５から送り指示を受け付ける。送り指示を受け付けたならば処理をステップＳ１５に進めるが、そうでなければ処理をステップＳ１６に進める。ステップＳ１５においては、次の画像データを選択し、処理をステップＳ０３に戻す。ここでは、メモリカード２９Ａに記憶されている複数の画像データうち処理対象に選択されていない画像データであって、メモリカード２９Ａに記憶された時期が最先の画像データを選択する。なお、メモリカード２９Ａに記憶されている複数の画像データを順に選択することができれば、これとは異なる順、例えば、記憶された時期が後の画像データから順に選択するようにしてもよい。
【００７７】
一方、ステップＳ１６においては、閲覧終了指示を受け付けたか否かを判断する。ユーザが、操作部３５の備える閲覧終了ボタンを指示すれば、操作部３５から閲覧終了指示を受け付ける。閲覧終了指示を受け付けたならば処理を終了するが、そうでなければ処理をステップＳ１４に戻す。
【００７８】
＜第１の変形例＞
上述した実施の形態におけるデジタルカメラ１は、画像データの画像の種類を、静止画と動画とする場合を例に説明したが、画像の種類を、ファイル種別と撮影モードとの組み合わせとするようにしてもよい。撮影モードは、静止画を撮影する場合に、単独撮影モードと連続撮影モードとがあり、動画を撮影する場合に、室内撮影モードと逆光撮影モードとがある。このため、画像の種類としては、ファイル種別の２種類と、撮影モードの２種類を組み合わせた、４つの種類になる。このため、４つのパターンを用いることにより、ファイル種別に合わせて、撮影モードを判別可能になる。
【００７９】
上述した実施の形態においては、表示態様のうち画像を表示する位置を変化させるパターン名「スライドイン」と、表示態様のうち大きさを変化させる「ズーム」との２つのパターを説明したが、画像データを表示する前の表示直前期間に、表示態様を変化させるパターンとしては、それらに加えて、画像の形状を変化させるパターン、画像の輝度を変化させるパターン、画像の色を変化させるパターンがある。
【００８０】
図６は、パターンと表示態様との関係を示す図である。図６を参照して、表示態様は、位置と、形状と、大きさと、輝度と、色と、がある。パターン名称「スライドイン」および「スピン」は、表示態様のうち画像を表示する位置を変化させる方法の一例である。パターン名称「スライドイン」のパターンは、画像が時間の経過とともに画像を表示する位置を平行移動させるのに対して、パターン名称「スピン」のパターンは、画像が時間の経過とともに回転移動させる。
【００８１】
パターン名称「ブラインド」および「ホイール」は、表示態様のうち表示される画像の形状を変化させる方法の一例である。パターン名称「ブラインド」のパターンは、表示される画像の部分を、ブラインドを開閉したときに向こう側が見える部分とするものであり、時間の経過に伴って表示される画像の形状を変化させる方法である。パターン名称「ホイール」のパターンは、表示される画像の部分の形状を回転する時計の針が通過した部分の形状とするものであり、時間の経過に伴って表示される部分の形状を変化させる方法である。
【００８２】
パターン名称「ズーム」および「エクスパンド」は、表示態様のうち表示される画像の大きさを変化させる方法の一例である。パターン名称「ズーム」のパターンは、縮小した画像を時間の経過に伴って拡大して表示し、時間の経過に伴って表示される画像の大きさが変化する。パターン名称「エクスパンド」のパターンは、画像のうち表示する範囲を時間の経過に伴って拡大して表示し、時間の経過に伴って表示される画像の大きさを変化させる方法である。
【００８３】
パターン名称「フェード」は、表示態様のうち表示される画像の輝度を変化させる方法の一例である。パターン名称「フェード」のパターンは、最初に輝度を高くして画像を表示し、時間の経過に元なって輝度を小さくして表示し、時間の経過に伴って表示される画像の輝度を変化させる方法である。
【００８４】
パターン名称「カラーブレンド」およびを「カラーコントラスト」は、表示態様のうち表示される画像の色を変化させる方法の一例である。パターン名称「カラーブレンド」のパターンは、最初にある色の参照画像と合成した画像を表示し、時間の経過に元なって参照画像の色の輝度を小さくし、時間の経過に伴って表示される画像の色を変化させる方法である。
【００８５】
パターン名称「カラーコントラスト」のパターンは、最初にある色の輝度を高くして画像を表示し、時間の経過に元なってその色の輝度を小さくし、時間の経過に伴って表示される画像の色を変化させる方法である。
【００８６】
ここでは、表示態様のうち画像を表示する位置、形状、大きさ、輝度および色それぞれを単独で変化させる５つのパターンを示したが、表示態様のうち画像を表示する位置、形状、大きさ、輝度および色のうちから選択された２以上を組み合わせて変化させるようにすれば、より多くのパターンを定めることができる。このため、より多くの種類の画像を表現することができる。
【００８７】
図７（Ａ）〜（Ｃ）は、パターン名「ブラインド」のパターンにおける表示態様の変化を説明する図である。ここでは、画像３０１が表示されている状態で、静止画の縮小画像３０３が表示される場合を想定し、画像３０１から縮小画像３０３へ表示が切り換わるまでの態様の変化を示す。パターン名「ブラインド」のパターンにおいては、最初の段階では、画像３０１と縮小画像３０３とを横方向に長い５つの帯状部分に分割し、最初の段階では縮小画像３０３のうちで上から２番目と４番目を表示する帯状部分とし、次の段階では縮小画像３０３のすべてを表示することで、形状を変化させる。
【００８８】
図７（Ａ）は、画像の切換前の状態を示す図である。図７（Ａ）を参照して、縮小画像３０３が表示される前の画像３０１が表示されている。図７（Ｂ）は、切換途中の状態を示す図である。図７（Ｂ）を参照して、画像３０１の上から第１番目、３番目および５番目の帯状部分と、縮小画像３０３の上から２番目および４番目の帯状部分とが交互に表示される。図７（Ｃ）は、画像の切換後の状態を示している。図７（Ｃ）を参照して、縮小画像３０３が画面の全体に表示され、画像３０１は表示されない。
【００８９】
図８（Ａ）〜（Ｃ）は、パターン名「フェード」のパターンにおける表示態様の変化を説明する図である。ここでは、画像３０１が表示されている状態で、静止画の縮小画像３０３が表示される場合を想定し、画像３０１から縮小画像３０３へ表示が切り換わるまでの態様の変化を示す。パターン名「フェード」のパターンにおける表示態様においては、最初の段階では、画像３０１に縮小画像３０３の輝度を高くした画像が重畳して表示される。時間の経過とともに画像３０１の輝度が徐々に高い値に変化し、逆に、縮小画像３０３の輝度が徐々に低い値に変化する。図８（Ａ）は、画像の切換前の状態を示す図である。図８（Ａ）を参照して、縮小画像３０３が表示される前の画像３０１が表示されている。図８（Ｂ）は、切換途中の状態を示す図である。図８（Ｂ）を参照して、画像３０１に輝度を高くした縮小画像３０３が重畳して表示される。図８（Ｃ）は、画像の切換後の状態を示している。図８（Ｃ）を参照して、縮小画像３０３が画面の全体に表示され、画像３０１は表示されない。
【００９０】
図９（Ａ）〜（Ｃ）は、パターン名「カラーブレンド」のパターンにおける表示態様の変化を説明する図である。ここでは、画像３０１が表示されている状態で、静止画の縮小画像３０３が表示される場合を想定し、画像３０１から縮小画像３０３へ表示が切り換わるまでの表示態様を示す。パターン名「カラーブレンド」のパターンにおける表示態様においては、最初の段階では、画像３０１に代えて縮小画像３０３を別の色とした画像３３３が表示される。時間の経過とともに画像３３３の色が縮小画像３０３の色に変化する。図９（Ａ）は、画像の切換前の状態を示す図である。図９（Ａ）を参照して、縮小画像３０３が表示される前の画像３０１が表示されている。図９（Ｂ）は、切換途中の状態を示す図である。図９（Ｂ）を参照して、縮小画像３０３と色が異なる画像３３３が表示される。図９（Ｃ）は、画像の切換後の状態を示している。図９（Ｃ）を参照して、縮小画像３０３が画面の全体に表示され、画像３０１は表示されない。
【００９１】
図１０は、画像の種類をファイル種別と撮影モードとの組み合わせとした場合のパターンテーブルの一例を示す図である。図１０を参照して種類は、ファイル種別が「静止画」で撮影モードが単独撮影モードを示す「単独」の組と、ファイル種別が「静止画」で撮影モードが連続撮影モードを示す「連続」の組と、ファイル種別が「動画」で撮影モードが室内撮影モードを示す「室内」の組と、ファイル種別が「動画」で撮影モードが逆光撮影モードを示す「逆光」の組と、を含む。
【００９２】
ファイル種別が「静止画」で撮影モードが単独撮影モードを示す「単独」の組の種類に対して、パターン名称「スライドイン」のパターンが割り当てられる。ファイル種別が「静止画」で撮影モードが連続撮影モードを示す「連続」の組の種類に対して、パターン名称「ブラインド」のパターンが割り当てられる。ファイル種別が「動画」で撮影モードが室内撮影モードを示す「室内」の組の種類に対して、パターン名称「ズーム」のパターンが割り当てられる。ファイル種別が「動画」で撮影モードが逆光撮影モードを示す「逆光」の組の種類に対して、パターン名称「フェード」のパターンが割り当てられる。
【００９３】
パターン決定部５７は、種類判別部５５により判別された種類に基づいて、図１０に示したパターンテーブルを参照して、パターンを決定する。このようにすれば、縮小画像または代表縮小画像が表示される前の表示直前期間に、縮小画像または代表縮小画像を表示するパターンからファイル種類と撮影モードとを知ることができる。
【００９４】
＜第２の変形例＞
さらに、画像の種類を、撮影条件検出部６５により画像データに関連付けられた撮影条件としてもよい。撮影条件は、被写体に対して合焦しているか否かを示す撮影条件と、明るさが正常な画像が撮影されているか否かを示す撮影条件と、手振れしているか否かを示す撮影条件と、を含む。このため、縮小画像または代表縮小画像の画像データが完全に表示される前の、表示直前期間に、画像データの撮影条件をユーザに通知することができる。具体的には、被写体に対して合焦して撮影された静止画または動画であるのか、明るさが正常な状態で撮影された静止画または動画であるのか、または手振れし多状態で撮影された静止画または動画である否かを、ユーザは、判断することができる。
【００９５】
＜第３の変形例＞
さらに、画像の種類を、特徴付与部７５により画像データに関連付けられた画像の特徴としてもよい。画像の特徴を、静止画または動画のフレーム中に含まれる被写体が人物か否かの情報とすることができる。この場合には、選択された画像データの静止画または動画が、被写体を人物としているか否かをユーザに通知することができる。
【００９６】
また、画像の特徴を、被写体が人物の場合に、赤目か否かの情報とすることができる。この場合には、選択された画像データの静止画または動画に含まれる被写体が赤目となっているか否かを、ユーザに通知することができる。
【００９７】
さらに、画像の特徴を、被写体が人物の場合に、被写体となる人物の数とすることができる。この場合には、選択された画像データの静止画または動画に含まれる被写体の人数を、ユーザに通知することができる。
【００９８】
＜第４の変形例＞
上述した実施の形態におけるデジタルカメラ１は、２次元の静止画または動画をメモリカード２９Ａに記憶するようにしたが、第４の変形例におけるデジタルカメラは、レンズ群１３、シャッタ１４、レンズ駆動部１５およびイメージセンサ１９の組からなる撮影部を２つ備えるようにし、２つの撮影部各々で撮影され、出力される２つの画像から１つの３次元画像を生成するようにしたものである。この場合、３次元の静止画または３次元の動画をメモリカード２９Ａに記憶する。３次元の画像とは、例えば、右目用の２次元画像（静止画、動画）と左目用の２次元画像（静止画、動画）とのセットで構成される。
【００９９】
第４の変形例におけるデジタルカメラ１は、２つの撮影部のいずれかが出力する画像から２次元の静止画および動画をメモリカード２９Ａに記憶することできる。このため、画像の種類に、静止画と動画との別に加えて、２次元画像と３次元画像との別とすることができる。メモリカード２９Ａには、ファイル種別が、２次元の静止画、２次元の動画、３次元の静止画および３次元の動画の４つに分類された画像データが記憶される。
【０１００】
この場合は、４つのファイル種別に４つのパターンをそれぞれ対応させることにより、選択された画像データの縮小画像または代表縮小画像が完全に表示されるまでの直前表示期間の表示態様の変化から、画像データが、２次元画像および３次元画像の別と、動画および静止画の別を、ユーザに通知することができる。
【０１０１】
＜第５の変形例＞
上述したように画像の種類を、ファイルの種類、撮影条件、撮影モードおよび画像の特徴のうちから選ばれた１つとしてもよい。さらに、画像の種類を、ファイルの種類、撮影条件、撮影モードおよび画像の特徴のうちから選ばれた２以上の組としてもよい。この場合には、表示直前期間に画像データを表示する間に、変化させる表示態様のパターンを、組み合わせの数に応じた数だけ予め準備しておくようにすればよい。
【０１０２】
以上説明したように本実施の形態におけるデジタルカメラ１は、メモリカード２９Ａに記憶された複数の画像データうちから１つが選択されると、選択された画像データの種類が判別され、表示態様が変化する複数のパターンのうち判別された種類に対応付けられたパターンが決定され、選択された画像データを表示する前の表示直前期間に、画像データまたは画像データに関連する画像データが、決定されたパターンにしたがって表示態様を変化させて表示される。このため、ユーザは、画像データが表示される前に、画像データの種類を知ることができる。
【０１０３】
また、画像の種類を、静止画と動画の別とする場合には、表示直前期間に表示される画像の表示態様から、ユーザは、選択された画像データが、静止画であるのか、または動画であるのかを知ることができる。
【０１０４】
さらに、選択された画像データが静止画の場合は、縮小画像の画像データが表示態様を変化させて表示され、選択された画像データが動画の場合は、代表縮小画像の画像データが、表示直前期間に表示態様を変化させて表示されるので、処理時間を短くして表示直前期間を短くすることができる。
【０１０５】
さらに、画像の種類を撮影モードとする場合には、表示直前期間に表示される画像の表示態様から、ユーザは、選択された画像データが、画像データが単独撮影モードと連続撮影モードとのいずれで撮影されたかを知ることができる。
【０１０６】
さらに、デジタルカメラ１が、２次元画像と３次元画像とを撮影可能な場合には、画像の種類を、２次元画像と３次元画像との別とすることにより、画像データが２次元画像と３次元画像とのいずれであるかをユーザに通知することができる。
【０１０７】
さらに、画像の種類を、撮影条件とする場合には、表示直前期間に表示される画像の表示態様から、ユーザは、選択された画像データが、所定の範囲内の撮影条件で撮影された画像データであるか否かを知ることができる。
【０１０８】
さらに、画像の種類を、画像の特徴とする場合には、表示直前期間に表示される画像の表示態様から、ユーザは、画像データの画像中に含まれる被写体の特徴を知ることができる。
【０１０９】
なお、上述した実施の形態においては画像再生装置の一例としてデジタルカメラ１を説明したが、メモリカード２９Ａ等の記憶媒体に記憶された静止画および動画を再生可能な装置であれば、例えば、パーソナルコンピュータ等であってもよい。さらに、図６に示した画像再生処理を、画像再生装置に実行させるための画像再生方法、その画像再生方法を画像再生装置を制御するコンピュータに実行するための画像再生プログラムとして発明を捉えることができるのはいうまでもない。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１１】
＜付記＞
（１）  前記切換表示手段は、前記選択された画像のファイル種別が静止画の場合は、前記表示直前期間終了後は、前記選択された画像を表示し、前記選択された画像のファイル種別が動画の場合は、前記表示直前期間終了後再生指示を受け付けるまでは、前記選択された画像に関連付けられた縮小画像を表示する、請求項２に記載の画像再生装置。
【符号の説明】
【０１１２】
１  デジタルカメラ、１１  ＣＰＵ、１３  レンズ群、１３Ｆ  フォーカスレンズ、１３Ｚ  ズームレンズ、１４  シャッタ、１５  レンズ駆動部、１７  補正ユニット、１９  イメージセンサ、２１  コーデック、２２  信号処理回路、２３  ＬＣＤ、２５  ＥＥＰＲＯＭ、２７  ＳＤＲＡＭ、２９  カードＩ／Ｆ、２９Ａ  メモリカード、３３  ジャイロセンサ、３５  操作部、３５Ａ  シャッタボタン、４１  バッテリ、５１  画像表示制御部、５３  画像データ選択部、５５  種類判別部、５７  パターン決定部、５９  切換表示部、６１  撮影モード設定部、６３  撮影制御部、６５  撮影条件検出部、６７  記憶条件設定部、６９  記憶制御部、７１  静止画記憶部、７３  動画記憶部、７５  特徴付与部。
【図１】
2013017068.tif 000003
【図２】
2013017068.tif 000004
【図３】
2013017068.tif 000005
【図４】
2013017068.tif 000006
【図５】
2013017068.tif 000007
【図６】
2013017068.tif 000008
【図７】
2013017068.tif 000009
【図８】
2013017068.tif 000010
【図９】
2013017068.tif 000011
【図１０】
2013017068.tif 000012